(57)【要約】【課題】  光記録媒体上の記録領域を少なくとも２つに分割し、記録するデータの種別に応じてそれぞれの記録領域を使い分けてデータ記録を行うにあたり、分割した２つの領域を有効に活用できるようにする。【解決手段】  入力されたデータが静止画である場合には、静止画用記録領域ＡＲＳの残容量を確認し（ステップＳ８）、静止画用記録領域ＡＲＳの残容量がない場合に、ビデオ用記録領域ＡＲＶの残容量が拡張サイズよりも大きいか否かを判定して（ステップＳ９）、ビデオ用記録領域ＡＲＶの残容量が拡張サイズよりも大きい場合には、境界ポインターを修正するとともに（ステップＳ１０）、記録データ管理情報及びファイルシステム情報を修正することにより（ステップＳ１１）、静止画用記録領域ＡＲＳを拡張して、静止画用記録領域ＡＲＳに静止画データを記録し（ステップＳ５）、記録終了後は必要に応じて管理領域ＡＲＭの記録データ管理情報やファイルシステム情報を更新する（ステップＳ６）。【選択図】        図８
2006185499.tif 000002
【特許請求の範囲】
【請求項１】
光記録媒体上の記録領域を少なくとも２つに分割し、記録するデータの種別に応じてそれぞれの記録領域を使い分けてデータ記録を行うデータ記録方法であって、
一方の記録領域の残容量がなくなったことを検出した場合に、残容量がある方の領域を残容量領域がなくなった方の領域に割り当てることで、一方の領域を拡張し、それぞれの領域の占める割合を可変として、種別の違うデータを分離して記録することを特徴とするデータ記録方法。
【請求項２】
上記光記録媒体上の記録領域を２つに分割した各領域の境界を示す境界ポインターを上記記録領域外の管理領域に記録し、上記境界ポインターの変更により領域を拡張することを特徴とする請求項１記載のデータ記録方法。
【請求項３】
光記録媒体の初期化、光記録媒体へのデータ記録、光記録媒体の取り出しの過程で、光記録媒体の最内周からの一定領域及び最外周からの一定領域に鏡面がある場合に、その領域をパディングすることを特徴とする請求項１記載のデータ記録方法。
【請求項４】
光記録媒体上の記録領域を２つに分割し、記録するデータの種別に応じてそれぞれの記録領域を使い分けてデータ記録を行うデータ記録装置であって、
各記録領域の残容量を管理し、一方の記録領域の残容量がなくなったことを検出した場合に、残容量がある方の領域を残容量領域がなくなった方の領域に割り当てることで、一方の領域を拡張し、それぞれの領域の占める割合を可変とする領域管理手段を備え、
上記領域管理手段により各記録領域の残容量を管理して、記録するデータの種別に応じてそれぞれの記録領域を使い分けてデータ記録を行うことを特徴とするデータ記録装置。
【請求項５】
上記領域管理手段は、上記光記録媒体上の記録領域を２つに分割した各領域の境界を示す境界ポインターを上記記録領域外の管理領域に記録し、上記境界ポインターの変更により領域を拡張することを特徴とする請求項４記載のデータ記録装置。
【請求項６】
上記領域管理手段は、光記録媒体の初期化、光記録媒体へのデータ記録、光記録媒体の取り出しの過程で、光記録媒体の最内周からの一定領域及び最外周からの一定領域に鏡面がある場合に、その領域をパディングすることを特徴とする請求項４記載のデータ記録装置。
【請求項７】
撮像手段により得られる動画映像信号と静止画映像信号を光記録媒体に記録する記録手段を備える撮像装置であって、
上記光記録媒体上の記録領域を少なくとも２つに分割し、各記録領域の残容量を管理し、一方の記録領域の残容量がなくなったことを検出した場合に、残容量がある方の領域を残容量領域がなくなった方の領域に割り当てることで、一方の領域を拡張し、それぞれの領域の占める割合を可変とする領域管理手段を備え、
上記領域管理手段により各記録領域の残容量を管理して、上記撮像手段により得られる動画映像信号と静止画映像信号を上記記録手段により光記録媒体上の異なる記録領域に記録することを特徴とする撮像装置。
【請求項８】
上記領域管理手段は、上記光記録媒体上の記録領域を２つに分割した各領域の境界を示す境界ポインターを上記記録領域外の管理領域に記録し、上記境界ポインターの変更により領域を拡張することを特徴とする請求項７記載の撮像装置。
【請求項９】
上記領域管理手段は、光記録媒体の初期化、光記録媒体へのデータ記録、光記録媒体の取り出しの過程で、光記録媒体の最内周からの一定領域及び最外周からの一定領域に鏡面がある場合に、その領域をパディングすることを特徴とする請求項７記載の撮像装置。
【発明の詳細な説明】
【技術分野】
【０００１】
本発明は、例えばＤＶＤ等の記録媒体に対してデータを記録するデータ記録方法、データ記録装置及び撮像装置に関する。
【背景技術】
【０００２】
テレビジョン放送の録画や撮影画像を記録する装置として、ビデオテープレコーダに代わり、記録型ＤＶＤをメディアとして用いたＤＶＤレコーダが普及し始めている。記録型ＤＶＤは、直径１２ｃｍ、厚さ１．２ｍｍの片面で４．７Ｇバイトの容量の記録可能な光ディスクである。
【０００３】
記録型ＤＶＤには、追記型（一回のみ記録可能タイプ）と書き換え型（複数回の書き換え可能タイプ）を合わせて、ＤＶＤ−Ｒ、ＤＶＤ−ＲＷ、ＤＶＤ＋ＲＷ、ＤＶＤ＋Ｒ及びＤＶＤ−ＲＡＭの５つの種類のフォーマットが提案されている。これらのフォーマットは、ＤＶＤの民間規格団体である“ＤＶＤフォーラム”（例えば非特許文献１を参照。）、並びに、ＤＶＤフォーラムとは異なる民間規格団体である“ＤＶＤ＋ＲＷアライアンス”（例えば非特許文献２を参照。）から提案されている。
【０００４】
ＤＶＤ−Ｒ及びＤＶＤ＋Ｒは、１回だけしか書き込めない追記型の光ディスクである。ＤＶＤ−Ｒは、ＤＶＤフォーラムにより提案されたフォーマットに従った光ディスクであり、ＤＶＤ＋Ｒは、ＤＶＤ＋ＲＷアライアンスにより提案されたフォーマットに従った光ディスクである。
【０００５】
ＤＶＤ−ＲＷ及びＤＶＤ＋ＲＷは、“ＤＶＤフォーラム”により規定されている再生専用のＤＶＤ（ＤＶＤ−ＶＩＤＥＯ）とのフォーマットの互換性が取られた複数回の書き換えが可能な光ディスクである。ＤＶＤ−ＲＷ及びＤＶＤ＋ＲＷは、従来の再生専用のＤＶＤプレーヤでも、再生が可能である。ＤＶＤ−ＲＷは、ＤＶＤフォーラムにより提案されたフォーマットに従った光ディスクであり、ＤＶＤ＋ＲＷは、ＤＶＤ＋ＲＷアライアンスにより提案されたフォーマットに従った光ディスクである。
【０００６】
ＤＶＤ−ＲＡＭは、カートリッジに収納された形式の書き換え可能な光ディスクであり、ＤＶＤ−ＶＩＤＥＯとの互換性は低く、他のＤＶＤとは大幅に異なるフォーマットの光ディスクである。ＤＶＤ−ＲＡＭは、ＤＶＤフォーラムにより提案された光ディスクである。
【０００７】
また、ＤＶＤフォーラムにより提案されているＤＶＤ−ＶＩＤＥＯ規格では、データ単位として“タイトル”と呼ばれる単位が規定されている。本規格で規定された“タイトル”とは、例えば、映画の１作品や音楽アルバムの１作品等の１つのコンテンツの再生単位を示す概念である。ＤＶＤ−ＶＩＤＥＯ規格では、１つのＤＶＤディスクに対して９９個のタイトルまで記録することができるとしている（例えば、特許文献１参照）。
【０００８】
【特許文献１】特開２００４−３１８９２３号公報
【非特許文献１】インターネット＜ＵＲＬ：ｈｔｔｐ：／／ｗｗｗ．ｄｖｄｆｏｒｕｍ．ｇｒ．ｊｐ／＞
【非特許文献２】インターネット＜ＵＲＬ：ｈｔｔｐ：／／ｗｗｗ．ｄｖｄｒｗ．ｃｏｍ／＞
【発明の開示】
【発明が解決しようとする課題】
【０００９】
ところで、光記録型媒体に対してデータを記録する場合、その用途に応じて記録領域を分割し、それぞれの領域を使い分ける方法がある。例えば、カメラシステムなどによって記録媒体に動画と静止画を記録する場合、図１に示すように動画は記録領域Ａに、静止画は記録領域Ｂに記録することで、用途の違うそれぞれのデータを分離して扱うことができる。このような記録方法において、記録領域Ａと記録領域Ｂの境界位置は、記録領域外のある管理領域に記述されたポインター（以下これを境界ポインターと呼ぶ）によって指し示される。
【００１０】
ここで、従来の記録方法では記録領域Ａと記録領域Ｂの境界を指す境界ポインターの値を記録媒体の初期化時に指定した値で固定としている。このため、記録領域Ｂに例えばある種別のデータｂを記録していき、その領域を使い切った場合、別の種別のデータａを記録するための記録領域Ａに充分に空き領域があったとしても、それ以上データＢを記録することはできない。この結果、従来の記録方法では記録媒体を利用するユーザに対してそれぞれのデータの利用比率を固定してしまうことになり、ユーザの意図によっては記録媒体の記録領域を有効に活用できないという問題が生じる。
【００１１】
そこで、本発明の目的は、上述の如き従来の問題点に鑑み、光記録媒体上の記録領域を２つに分割し、記録するデータの種別に応じてそれぞれの記録領域を使い分けてデータ記録を行うにあたり、分割した２つの領域を有効に活用できるようにしたデータ記録方法、データ記録装置及び撮像装置を提供するものである。
【００１２】
本発明の更に他の目的、本発明によって得られる具体的な利点は、以下に説明される実施の形態の説明から一層明らかにされる。
【課題を解決するための手段】
【００１３】
本発明は、光記録媒体上の記録領域を少なくとも２つに分割し、記録するデータの種別に応じてそれぞれの記録領域を使い分けてデータ記録を行うデータ記録方法であって、一方の記録領域の残容量がなくなったことを検出した場合に、残容量がある方の領域を残容量領域がなくなった方の領域に割り当てることで、一方の領域を拡張し、それぞれの領域の占める割合を可変として、種別の違うデータを分離して記録することを特徴とする。
【００１４】
また、本発明は、光記録媒体上の記録領域を少なくとも２つに分割し、記録するデータの種別に応じてそれぞれの記録領域を使い分けてデータ記録を行うデータ記録装置であって、各記録領域の残容量を管理し、一方の記録領域の残容量がなくなったことを検出した場合に、残容量がある方の領域を残容量領域がなくなった方の領域に割り当てることで、一方の領域を拡張し、それぞれの領域の占める割合を可変とする領域管理手段を備え、上記領域管理手段により各記録領域の残容量を管理して、記録するデータの種別に応じてそれぞれの記録領域を使い分けてデータ記録を行うことを特徴とする。
【００１５】
さらに、本発明は、撮像手段により得られる動画映像信号と静止画映像信号を光記録媒体に記録する記録手段を備える撮像装置であって、上記光記録媒体上の記録領域を少なくとも２つに分割し、各記録領域の残容量を管理し、一方の記録領域の残容量がなくなったことを検出した場合に、残容量がある方の領域を残容量領域がなくなった方の領域に割り当てることで、一方の領域を拡張し、それぞれの領域の占める割合を可変とする領域管理手段を備え、上記領域管理手段により各記録領域の残容量を管理して、上記撮像手段により得られる動画映像信号と静止画映像信号を上記記録手段により光記録媒体上の異なる記録領域に記録することを特徴とする。
【００１６】
本発明では、例えば、光記録媒体上の記録領域を２つに分割した各領域の境界を示す境界ポインターを上記記録領域外の管理領域に記録し、上記境界ポインターの変更により領域を拡張する。
【００１７】
また、本発明では、例えば、光記録媒体の初期化、光記録媒体へのデータ記録、光記録媒体の取り出しの過程で、光記録媒体の最内周からの一定領域及び最外周からの一定領域に鏡面がある場合に、その領域をパディングする。
【発明の効果】
【００１８】
本発明では、記録媒体中の記録領域をデータ種別毎に異なる領域に記録することで、同系統のデータをまとめて取り扱うことができる。また、それぞれの領域の占める比率を可変とすることでユーザからの要求に応じて柔軟に領域を使い分けることができ、記録領域を有効活用することができる。
【００１９】
さらに、本発明では、光記録媒体の初期化、光記録媒体へのデータ記録、光記録媒体の取り出しの過程で、光記録媒体の最内周からの一定領域及び最外周からの一定領域に鏡面がある場合に、その領域をパディングすることによって、汎用の光記録媒体再生装置に対して互換性の高い光記録媒体を生成することができる。
【発明を実施するための最良の形態】
【００２０】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２１】
本発明は、例えば図２に示すような構成の撮像装置１００に適用される。
【００２２】
この撮像装置１００は、被写体を撮像する撮像部１、この撮像部１から動画映像信号、音声信号或いは静止画映像信号が供給される記録部２、上記撮像部１や記録部２の動作制御を行うシステム制御部３、このシステム制御部３に接続されたユーザインターフェイス４等からなる所謂ビデオカメラであって、上記撮像部１により得られる動画映像信号、音声信号或いは静止画映像信号を記録部２により光記録媒体５に記録する。
【００２３】
この撮像装置１００において、記録部２は、上記撮像部１に接続されたデータ入力部１０、このデータ入力部１０に接続された圧縮処理部２０、この圧縮処理部２０接続されたストリーム管理部３０、このストリーム管理部３０に接続されたドライブ制御部４０からなる。
【００２４】
データ入力部１０は、動画入力部１１、音声入力部１２及び静止画入力部１３からなり、撮像部１から供給される動画映像信号・音声信号又は静止画映像信号、またはその他外部機器からの入力信号をデジタル信号に変換することで動画データ、音声データもしくは静止画データを得、それらのデータを圧縮処理部２０に出力する。
【００２５】
圧縮処理部２０は、動画エンコーダ２１、音声エンコーダ２２、静止画エンコーダ２３及び多重化処理部２４からなり、データ入力部１０から受け取ったデータをエンコードし、ストリーム管理部に出力する。ここで、データ入力部１０より供給されたデータが動画と音声データである場合は多重化処理部２４によって多重化処理を行い、ビデオデータとして出力する。
【００２６】
ストリーム管理部３０は、記録情報管理部３１、ファイルシステム管理部３２及び拡張処理部３３からなり、圧縮処理部２０から受け取ったデータを記録情報管理部３１やファイルシステム管理部３２を介してドライブ制御部４０に出力する。
【００２７】
記録情報管理部３１は、光記録媒体５で採用される各種規格で必要とされる情報を圧縮処理部２０から受け取ったデータに付与する。また、入力されたデータ以外に、光記録媒体５で採用される各種規格で必要とされる各種管理情報やその他記録データに関する管理情報を図３に示す記録データ管理情報として出力する。
【００２８】
ファイルシステム管理部３２は、記録情報管理部３１から出力されたデータの記録位置などに関する命令やファイルシステム情報をドライブ制御部４０に出力する。ここで、入力データがビデオデータである場合は図３に示すビデオ用記録領域ＡＲＶへの記録を命令し、静止画データである場合は静止画用記録領域ＡＲＳへの記録を命令する。
【００２９】
また、記録情報管理部３１及びファイルシステム管理部３２は、光記録媒体５上に記録された管理領域ＡＲＭに含まれる記録データ管理情報やファイルシステム情報をドライブ制御部４０を介して受け取り、それらの情報を解析することでビデオ用記録領域ＡＲＶ及び静止画用記録領域ＡＲＳのそれぞれの記録可能残容量を求め、その結果を領域拡張部３３に通知する。
【００３０】
領域拡張部３３は、記録情報管理部３１及びファイルシステム管理部３２によって通知されたそれぞれの記録領域の残容量を確認し、一方の領域の残容量がなくなったことを検出した場合に他方の空き領域を残容量がなくなった方の領域に割り当てることで記録領域を拡張する。この領域拡張部３３の動作の詳細は後述する。
【００３１】
ドライブ制御部４０は、ストリーム管理部３０から受け取ったデータをファイルシステム管理部３２の命令に従って光記録媒体５の適切な位置に記録する。
【００３２】
ユーザインターフェイス４は記録開始/停止等のユーザ要求を受け付け、システム制御部３に命令を出力する。また、動画映像信号と音声信号によって構成されるビデオ信号と静止画映像信号の入力切り換えもこのユーザインターフェイス４を介して行う。
【００３３】
システム制御部３はユーザインターフェイス４からの命令を受け、その命令に応じて各部の制御を行うことでシステム全体の動作を制御する。
【００３４】
この撮像装置１００において、光記録媒体５にデータを記録する際、光記録媒体５が完全に未使用の状態であるか、もしくはユーザからの指示があった場合には光記録媒体５を初期化する。そして、光記録媒体５は、初期化時にその記録領域を図３に示すようにビデオ用記録領域ＡＲＶと静止画用記録領域ＡＲＳに分割され、その境界は図３に示すように光記録媒体５中の管理領域ＡＲＭに記録されている記録データ管理情報に含まれる境界ポインターによって指されている。
【００３５】
次に、この撮像装置１００において、光記録媒体５を初期化する方法について説明する。この撮像装置１００では、光記録媒体５として記録型ＤＶＤが用いられている。なお、以下では光記録媒体５において全くの未記録領域を鏡面と呼び、任意のデータを記録することで鏡面を無くすことをパディングと呼ぶ。
【００３６】
光記録媒体５を初期化する場合、まず図４の（Ａ）に示すように、データ記録領域の開始位置Ｐ０までパディングする。次に図４の（Ｂ）に示すように、パディングした領域に記録データ管理情報及びファイルシステム情報を記録する。記録データ管理情報は記録データに関する管理情報を記録する管理領域ＡＲＭに記録される情報であり、この中にビデオ用記録領域ＡＲＶと静止画用記録領域ＡＲＶの境界位置Ｐ１を指すための値（以下この値を境界ポインターとする）を設定し、内周側をビデオ用記録領域ＡＲＶ、外周側を静止画用記録領域ＡＲＳとして割り当てる。
【００３７】
そして、この撮像装置１００では、前記手法により初期化された光記録媒体５にデータを記録する場合、図５の（Ａ）に示すように、入力されたデータがビデオデータである場合はビデオ用記録領域ＡＲＶに、静止画である場合は静止画用領域ＡＲＳに記録する。それぞれの領域において記録の開始位置は各領域の先頭とし、内周側から外周側に向かう方向に記録する。記録終了後は必要に応じて記録データ管理情報やファイルシステム情報を更新する。
【００３８】
また、この撮像装置１００では、光記録媒体５を取り出す際に、図５の（Ｂ）に示すように、光記録媒体５上の静止画用記録領域(ＡＲＳｐ)、静止画領域開始位置から内周側の一定領域(ＡＲＶｐ２)、さらに動画用記録領域ＡＲＶに記録されたデータの最外周位置からの一定領域(ＡＲＶｐ１)に鏡面が残っている場合は、それらをパディングする。また、必要に応じて管理領域ＡＲＭの記録データ管理情報及びファイルシステム情報を更新する。
【００３９】
さらに、この撮像装置１００では、ユーザからファイナライズの指示があった場合は、光記録媒体５に対しファイナライズを実行する。ファイナライズにおいては、図５の（Ｃ）に示すように、光記録媒体５の管理領域ＡＲＭに含まれる記録データ管理情報やファイルシステム情報を一般的な光記録媒体再生機で使用されている規格に適合するように再構成し、且つ光記録媒体５上に鏡面が残っている場合はそれらの領域を全てパディングする。
【００４０】
そして、この撮像装置１００において記録を続けていくと、いずれは記録可能残容量がなくなる。ここで、ビデオ用記録領域ＡＲＶよりも静止画用記録領域ＡＲＳの残容量が先になくなった場合を考える。この時点で、もしビデオ用記録領域ＡＲＶに充分な空き領域があれば、この撮像装置１００ではビデオ用記録領域ＡＲＶを静止画用記録領域ＡＲＳに割り当てることで静止画用記録領域ＡＲＳを拡張することができる。この手法を以下で具体的に説明する。
【００４１】
まず、ビデオ用記録領域ＡＲＶから静止画用記録領域ＡＲＳに割り当てる領域のサイズとして、ある大きさを持つ拡張サイズを事前に設定しておく。
【００４２】
静止画データの記録開始し、その記録領域に記録しようとした際に残容量がなかった場合は、まずビデオ用記録領域ＡＲＳの残容量を確認する。もしビデオ用記録領域ＡＲＶの残容量が事前に設定した拡張サイズよりも大きければ、ビデオ用記録領域ＡＲＶの外周側から事前に設定しておいた拡張サイズ分の領域を静止画用記録領域ＡＲＳに割り当てる（図６の（Ａ）→（Ｂ））。
【００４３】
この際、この撮像装置１００における領域拡張部３３は、記録情報管理部３１及びファイルシステム管理部３２を介して光記録媒体５の管理領域ＡＲＭに記録されている記録データ管理情報に含まれる境界ポインターをビデオ用記録領域ＡＲＶと静止画用記録領域ＡＲＶの境界位置Ｐ１’を指すように修正し、さらに関連する記録データ管理情報やファイルシステム情報を修正する。
【００４４】
領域の拡張後は再びデータ記録を続行するが、拡張した領域にデータを記録する際は境界の先頭から外周方向に向けて記録を行う（図６の（Ｃ））。
【００４５】
領域拡張後に光記録媒体５を取り出す場合は、図７の（Ａ）に示すように、新たな静止画用記録領域の開始位置から内周側の一定領域と、新たに拡張した領域も含めた静止画用記録領域内に鏡面が残っている場合は、その領域をパディングする。
【００４６】
図７の（Ｂ）に示すように、拡張後の領域を再び使い切った場合で、且つビデオ用記録領域の空き領域が拡張サイズよりも大きければ、新たな境界位置Ｐ１”を指すように境界ポインターを修正して静止画用記録領域ＡＲＳを再拡張する（図７の（Ｃ））。
【００４７】
以降、ビデオ用記録領域ＡＲＶと静止画用記録領域ＡＲＳの残容量が共になくなるまで同様の作業を繰り返す。
【００４８】
すなわち、この撮像装置１００における記録部２０は、図８のフローチャートに示すように、記録釦が押され、撮像部１による撮像動作を開始すると（ステップＳ１）、撮像部１から入力されるデータが動画であるか否かを判定し（ステップＳ２）、動画である場合には、ビデオ用記録領域ＡＲＶの残容量を確認する（ステップＳ３）。そして、ビデオ用記録領域ＡＲＶの残容量がある場合には、撮像部１にて撮像された撮像データが入力され（ステップＳ４）、上記撮像部１から入力された撮像データすなわち動画データをビデオ用記録領域ＡＲＶに記録し（ステップＳ５）、記録終了後は必要に応じて管理領域ＡＲＭの記録データ管理情報やファイルシステム情報を更新し（ステップＳ６）、記録動作を継続するか否かを判定して（ステップＳ７）、記録動作を継続する場合にはステップＳ２に戻る。
【００４９】
また、上記ステップＳ２の判定の結果、入力されたデータが動画でない場合には、静止画用記録領域ＡＲＳの残容量が充分であるが否かを確認する（ステップＳ８）。そして、静止画用記録領域ＡＲＳの残容量が充分ある場合には、撮像部１にて撮像された撮像データが入力され（ステップＳ４）、上記撮像部１から入力された撮像データすなわち静止画データを静止画用記録領域ＡＲＳに記録し（ステップＳ５）、記録終了後は必要に応じて管理領域ＡＲＭの記録データ管理情報やファイルシステム情報を更新し（ステップＳ６）、記録動作を継続するか否かを判定して（ステップＳ７）、記録動作を継続する場合にはステップＳ２に戻る。
【００５０】
ここで、上記ステップＳ８における静止画用記録領域ＡＲＳの残容量が充分であるが否かの判断は、例えば次のようにして行われる。
１．ある所定値と比較して、残容量が少なければ「残容量が充分ではない」と判断する。
上記所定値は、例えば、静止画撮影モードが高画質（ＨＱ）／標準（ＳＰ）／低画質（ＬＰ）の３段階の撮影モードあった場合に、最も容量が大きいＨＱモードにて撮影され得る静止画の容量を基準として、ＨＱの静止画を記録するために充分な空き領域を確保するように設定される。
２．静止画撮影モードに応じた所定値を予め設定し、選択された静止画撮影モードに対応する所定値と比較して、残容量が少なければ「残容量が充分ではない」と判断する。
【００５１】
例えば、静止画撮影モード（ＨＱ／ＳＰ／ＬＰ）に応じて異なる値を記憶させておき、ステップＳ８においては、静止画撮影モードを判定し、判定された静止画撮影モードに対応する所定値と、残容量の比較を行う。
３．実際に撮像された静止画像データ容量と残容量を比較して、残容量が少なければ「残容量が充分ではない」と判断する。
【００５２】
また、上記ステップＳ８の判定の結果、静止画用記録領域ＡＲＳの残容量が充分でない場合には、ビデオ用記録領域ＡＲＶの残容量が拡張サイズよりも大きいか否かを判定する（ステップＳ９）。ビデオ用記録領域ＡＲＶの残容量が拡張サイズよりも大きい場合には、境界ポインターを修正するとともに（ステップＳ１０）、記録データ管理情報及びファイルシステム情報を修正することにより（ステップＳ１１）、静止画用記録領域ＡＲＳを拡張する。そして、撮像部１にて撮像された撮像データが入力され（ステップＳ４）、上記撮像部１から入力された撮像データすなわち動画データをビデオ用記録領域ＡＲＶに記録し（ステップＳ５）、記録終了後は必要に応じて管理領域ＡＲＭの記録データ管理情報やファイルシステム情報を更新し（ステップＳ６）、記録動作を継続するか否かを判定して（ステップＳ７）、記録動作を継続する場合にはステップＳ２に戻る。
【００５３】
以降、ビデオ用記録領域ＡＲＶと静止画用記録領域ＡＲＳの残容量が共になくなるまで同様の作業を繰り返す。
【００５４】
ここで、以上の説明では、光記録媒体５上の静止画用記録領域(ＡＲＳｐ)、静止画領域開始位置から内周側の一定領域(ＡＲＶｐ２)、さらに動画用記録領域ＡＲＶに記録されたデータの最外周位置からの一定領域(ＡＲＶｐ１)に鏡面が残っている場合は、光記録媒体５の取り出し時にこの領域をパディングしていたが、この処理は毎記録終了時に行ってもよい。  
また、上記撮像装置１００では、初期化処理において、データ記録領域開始位置までのパディングを最初に行っていたが、この処理は記録データ管理情報やファイルシステム情報を記録した後に残った鏡面のみをパディングしてもよい。
【００５５】
上記撮像装置１００において、光記録媒体５の初期化時に静止画用記録領域ＡＲＳに割り当てる領域の大きさを記録部２による記録可能最小単位に設定し、拡張領域サイズを同様に記録可能最小単位とすると、図９に示すように、光記録媒体５の内周側と外周側から記録を進めて行くことが可能である。
【００５６】
ここで、静止画用記録領域の残容量は、ディスクのファイルシステムに含まれる空き容量管理情報を参照して算出することができる。
【００５７】
例えば、ＤＶＤの場合、ファイルシステムとしてＵＤＦを使用する。ＵＤＦではディスク内のデータ記録領域としてパーティションと呼ばれる領域を定義しており、このパーティションの使用状況をSpace Bit Map Descriptor(以下ＳＢＤ)と呼ばれる情報記述子で管理している。ＳＢＤは、パーティション内の各セクタに対応するビットマップをもっており、図１０に示すように、ビットが１の場合は対応するセクタは未使用で、０の場合は使用済みであることを示す。したがって、静止画用記録領域の残容量は、静止画用記録領域と対応するビットのうち、未使用を示すビットの総和×セクタサイズで求めることができる。
【００５８】
また、動画用記録領域の残容量は、境界ポインターで指されるアドレスからビデオ用記録領域ＡＲＶ内に記録したビデオデータの終端アドレスを引いた値×セクタサイズで求めることができる。
【００５９】
例えば、ＵＤＦではパーティション内に含まれるデータをファイルとして管理しており、全てのファイルの開始アドレスとサイズに関する情報を有している。上記ビデオデータもＵＤＦによってファイルとして管理されており、このビデオデータファイルの終端アドレスをビデオデータの終端アドレスとして求めることができる。
【００６０】
なお、動画用記録領域の残容量も静止画用記録領域の残容量計算時のようにＳＢＤを用いて求めることができる。
【図面の簡単な説明】
【００６１】
【図１】記録媒体の記録領域を分割して動画と静止画を異なる記録領域に記録するようにした光記録媒体の記録領域の構成を模式的に示す図である。
【図２】本発明を適用した撮像装置の構成を示すブロック図である。
【図３】上記撮像装置における光記録媒体の記録領域の構成を模式的に示す図である。
【図４】上記撮像装置における光記録媒体の初期化処理の説明に供する図である。
【図５】上記撮像装置におけるデータの記録、記録媒体の取り出し及びファイナライズ処理の説明に供する図である。
【図６】上記撮像装置における記録媒体上の静止画用記録領域の拡張処理の説明に供する図である。
【図７】上記撮像装置における記録媒体上の静止画用記録領域の拡張処理の説明に供する図である。
【図８】上記撮像装置における動画と静止画の記録動作の手順を示すフローチャートである。
【図９】上記撮像装置における記録媒体上の静止画用記録領域の拡張処理の他の例の説明に供する図である。
【図１０】上記撮像装置における記録媒体上の静止画用記録領域の残容量の算出処理の説明に供する図である。
【符号の説明】
【００６２】
１  撮像部、２  記録部、３  システム制御部、４  ユーザインターフェイス、５  光記録媒体、１０  データ入力部、１１  動画入力部、１２音声入力部、１３  静止画入力部、２０  圧縮処理部、２１  動画エンコーダ、２２  音声エンコーダ、２３  静止画エンコーダ、２４  多重化処理部、３０  ストリーム管理部、３１  記録情報管理部、３２  ファイルシステム管理部、３３  拡張処理部、４０  ドライブ制御部、１００  撮像装置、ＡＲＶ  ビデオ用記録領域、ＡＲＳ  静止画用記録領域、ＡＲＭ  管理領域
【図１】
2006185499.tif 000003
【図２】
2006185499.tif 000004
【図３】
2006185499.tif 000005
【図４】
2006185499.tif 000006
【図５】
2006185499.tif 000007
【図６】
2006185499.tif 000008
【図７】
2006185499.tif 000009
【図８】
2006185499.tif 000010
【図９】
2006185499.tif 000011
【図１０】
2006185499.tif 000012